(57)【要約】【課題】乾式で応答速度が速く、単純な構造で、安価かつ、安定性に優れる画像表示装置において、さらに、凝集塊の発生を大幅に抑制でき、その結果駆動電圧の低下を達成することができる画像表示装置を提供する。【解決手段】透明基板１および対向基板２の間に、色及び帯電特性の異なる２種類の粒子５、６を封入し、電位の異なる２種類の電極３、４から粒子に電界を与えて粒子を移動させ画像を表示する画像表示板を備える画像表示装置であって、用いる粒子の一部の表面を帯電特性の異なる物質で構成する。【選択図】        図１
2004198694.tif 000002
【特許請求の範囲】
【請求項１】
透明基板および対向基板の間に、色及び帯電特性の異なる少なくとも２種類の粒子を封入し、電位の異なる２種類の電極から粒子に電界を与えて粒子を移動させ画像を表示する画像表示板を備える画像表示装置であって、用いる粒子の一部の表面が帯電特性の異なる物質で構成されていることを特徴とする画像表示装置。
【請求項２】
前記粒子において、帯電特性の異なる部分が１部分に偏在している請求項１記載の画像表示装置。
【請求項３】
前記粒子において、粒子全体の表面積Ｓ１と帯電特性の異なる部分の表面積Ｓ２がＳ２／Ｓ１≦５０％である請求項１または２記載の画像表示装置。
【請求項４】
前記粒子において、粒子の表面電荷密度に対して帯電特性の異なる物質の表面電荷密度の方が高い請求項１〜３のいずれか１項に記載の画像表示装置。
【発明の詳細な説明】
【０００１】
【発明の属する技術分野】
本発明は、静電力を利用した粒子の飛翔移動に伴い画像を繰り返し画像表示、消去できる画像表示板を備える画像表示装置に関し、特に、駆動電圧の低下が達成できる画像表示装置に関するものである。
【０００２】
【従来の技術】
液晶（ＬＣＤ）に代わる画像表示装置として、電気泳動方式、エレクトロクロミック方式、サーマル方式、２色粒子回転方式などの技術を用いた画像表示装置（ディスプレイ）が提案されている。これらの画像表示装置は、ＬＣＤに比べて、通常の印刷物に近い広い視野角が得られる、消費電力が小さい、メモリー機能を有している等のメリットから、次世代の安価な表示装置として考えられ、携帯端末用表示、電子ペーパー等への展開が期待されている。
【０００３】
最近、分散粒子と着色溶液からなる分散液をマイクロカプセル化し、これを対向する基板間に配置する電気泳動方式が提案されている。（例えば、非特許文献１参照）。しかしながら、電気泳動方式では、液中に粒子が泳動するために液の粘性抵抗により応答速度が遅いという問題がある。また、低比重の溶液中に酸化チタンなどの高比重の粒子を分散させているために、沈降しやすく、分散状態の安定性維持が難しく、画像繰り返し安定性に欠けるという問題を抱えている。マイクロカプセル化にしても、セルサイズをマイクロカプセルレベルにし、見かけ上、このような欠点が現れ難くしているだけで、本質的な問題は何ら解決されていない。
【０００４】
以上のような溶液中での挙動を利用した電気泳動方式に対し、溶液を使わず、導電性粒子と電荷輸送層を基板の一部に組み入れた方式も提案されている。この方式は、電荷輸送層、更には電荷発生層を配置するための構造が複雑になると共に、導電性粒子から電荷を一定に逃がすことが難しく安定性に欠けるという問題もある。
【０００５】
【非特許文献１】
趙  国来、外３名、“新しいトナーディスプレイデバイス（Ｉ）”、１９９９年７月２１日、日本画像学会年次大会（通算８３回）“Japan Hardcopy’99”、p.249-252
【０００６】
【発明が解決しようとする課題】
以上の問題を解消するために、乾式で応答速度が速く、単純な構造で、安価かつ、安定性に優れる画像表示装置として、透明基板および対向基板の間に、色及び帯電特性の異なる少なくとも２種類の粒子を封入し、電位の異なる２種類の電極から粒子に電界を与えて粒子を移動させ画像を表示する画像表示板を備える画像表示装置が知られている。
【０００７】
ここで、粒子にかかる力は粒子同士のクーロン力により引き付け合う力、電極板との電気影像力、分子間力、さらには液架橋力、重力などが考えられる。それらの総合的な力が上回った際に粒子自身の飛翔が起こることとなる。このために、従来の画像表示装置では、駆動の際には強い電界を発生させる必要があり、それに耐えうる電気回路の設計が必要となるため汎用の電子材料が使用できないなどの問題があった。また、ここで用いる２種類の粒子は帯電特性が異なるために両者間にはクーロン力が働き、２種類の粒子が混在した場合には両者が凝集塊を形成してしまう。この凝集塊を解くためにはさらに大きな電界が必要とされ、上記電子材料の制限の問題をさらに拡大させる結果となっていた。
【０００８】
本発明の目的は上述した課題を解消して、乾式で応答速度が速く、単純な構造で、安価かつ、安定性に優れる画像表示装置において、さらに、凝集塊の発生を大幅に抑制でき、その結果駆動電圧の低下を達成することができる画像表示装置を提供しようとするものである。
【０００９】
【課題を解決するための手段】
本発明の画像表示装置は、透明基板および対向基板の間に、色及び帯電特性の異なる２種類の粒子を封入し、極性の異なる２種類の電極から粒子に電界を与えて粒子を飛翔移動させ画像を表示する画像表示板を備える画像表示装置であって、用いる粒子の一部の表面が帯電特性の異なる物質で構成されていることを特徴とするものである。
【００１０】
本発明では、用いる粒子の一部の表面を帯電特性の異なる物質で構成することで、凝集塊の発生を大幅に抑制でき、その結果駆動電圧の低下を達成することができる。ここで、画像表示装置としての性能を確保するためには、電界による電極板間移動に必要な粒子１粒における総電荷量と、電界を解除した場合にも電極板に付着しつづける、すなわち、メモリー効果を発現できるに十分な鏡像力を併せ持てば良い。検討の結果、それを達成するためには粒子表面全体に均一に電荷が存在する必要はなく、表面の一部に電荷が偏在している場合においても十分に効果が発現できることを見出した。さらに、粒子の一部に電荷が偏在した場合には、その部分の帯電特性が異なる２種類の粒子を混在させた場合でも、異極性部分が接触する確率が減少することによって、凝集を大幅に抑制することができる。また、全体が均一に電荷を帯びている状態に比べて、偏在する電荷量、あるいは偏在する表面積を制御することで、鏡像力はメモリー効果を損なわない程度に低く抑えることができる。これらの理由により、従来から課題であった駆動電圧の低下を達成することができる。
【００１１】
本発明の好適例としては、粒子において、帯電特性の異なる部分が１部分に偏在していること、粒子全体の表面積Ｓ１と帯電特性の異なる部分の表面積Ｓ２がＳ２／Ｓ１≦５０％であること、および、粒子の表面電荷密度に対して帯電特性の異なる物質の表面電荷密度の方が高いこと、がある。いずれの場合も本発明をより好適に実施することができる。
【００１２】
【発明の実施の形態】
まず、本発明の画像表示装置における基本的な構成について説明する。図１（ａ）は本発明の可逆画像表示装置において、対向する透明基板１と対向基板２との間に負帯電性粒子５及び正帯電性粒子を配置した状態を示す。この状態のものに、電源により表示電極３側が低電位、対向電極４側が高電位となるように電圧を印加すると、図１（ｂ）に示すようにクーロン力によって、正帯電性粒子６は表示電極３側に飛翔移動し、負帯電性粒子５は対向電極４側に飛翔移動する。この場合、透明基板１側から見る表示面は正帯電性粒子６の色に見える。次に電源の極性を切り替えて、表示電極３が高電位、対向電極４が低電位となるように電圧を付加すると、図１（ｃ）に示すようにクーロン力によって、負帯電性粒子５は表示電極３に飛翔移動し、正帯電性粒子６は対向電極４の側に飛翔移動する。この場合、透明基板１側から見る表示面は負帯電性粒子５の色に見える。
【００１３】
図１（ｂ）と図１（ｃ）の間は電源の極性を反転するだけで繰り返し表示することができ、このように電源の極性を反転することで可逆的に色を変化させることができる。例えば、負帯電性粒子５を白色とし、正帯電性粒子６を黒色とするか、負帯電性粒子５を黒色とし、正帯電性粒子６を白色とすると、表示は白色と黒色間の可逆表示となる。本発明の方式では各粒子は電極に鏡像力により貼り付いた状態にあるので、電源を切った後も表示画像は長期に保持され、メモリー保持性が良い。
【００１４】
本発明の画像表示装置の特徴は、用いる粒子の一部の表面を帯電特性の異なる物質で構成することである。そして、好ましい態様としては、粒子において、帯電特性の異なる部分が１部分に偏在していること、粒子全体の表面積Ｓ１と帯電特性の異なる部分の表面積Ｓ２がＳ２／Ｓ１＜５０％であること、および、粒子の表面電荷密度に対して帯電特性の異なる物質の表面電荷密度の方が高いことでである。
【００１５】
電荷を偏在させる手法としては、例えば、帯電電荷を保持しやすい異種物質を溶液状として、平板上にディッピング法、パーコータ法、スピンコータ法などにより薄層形成し、その基板上に粒子層を１層形成した後に乾燥させ、粒子のみを取り出す方法が挙げられる。その後、付着させた物質の種類によっては加熱処理をして架橋させることにより、粒子表面に固定化しても良い。粒子層を平板上に１層形成する手法としては、平板の上部より使用する粒子を散布し、重力による自由落下によって平板上に粒子層を形成させる方法が好適である。この際に、均一な処理を行うために粒子は１層形成させることが好ましい。
【００１６】
あるいは、あらかじめ粒子を均一に平板上に配列させ、その平板を用いて蒸着法により粒子の一部だけに電荷保持しやすい異種物質を付着させることもできる。この粒子の層が形成された平板を、蒸着器の中に異種物質となる蒸着ターゲットと対向して設置し、通常の方法で蒸着操作を行えば、平板上に形成された粒子の上面のみに蒸着物質を形成することができる。
【００１７】
帯電電荷を帯びやすい保持しやすい異種物質としては、樹脂そのものの帯電性を利用したもの、例えば、正帯電性樹脂としては、メラミン樹脂、グアナミン樹脂、ナイロン樹脂、アクリル樹脂など、負帯電性樹脂としては、フッ素樹脂、スチレン樹脂など、を用いても良いが、汎用の樹脂に荷電制御剤を混入させて安定的に帯電電荷を保持させることも好適である。
【００１８】
以下、本発明の画像表示装置を構成する各部材について詳細に説明する。
基板については、少なくとも一方の基板は装置外側から粒子の色が確認できる透明基板１であり、可視光の透過率が高くかつ耐熱性の良い材料が好適である。対向基板２は透明でも不透明でもかまわない。基板の可撓性の有無は用途により適宜選択され、例えば、電子ペーパー等の用途には可撓性のある材料、携帯電話、ＰＤＡ、ノートパソコン類の携帯機器表示等の用途には可撓性のない材料が好適である。基板材料を例示すると、ポリエチレンテレフタレート、ポリエーテルサルフォン、ポリエチレン、ポリカーボネート、ポリイミド、アクリルなどのポリマーシートや、ガラス、石英などの無機シートが挙げられる。基板の厚みは、２μｍ〜５０００μｍが好ましく、特に５〜１０００μｍが好適であり、薄すぎると、強度、基板間の間隔均一性を保ちにくくなり、厚すぎると、表示機能としての鮮明さ、コントラストの低下が発生し、特に、電子ペーパー用途の場合にはフレキシビリティー性に欠ける。
【００１９】
電極については、図１に示す例では電位の異なる２種類の電極である表示電極３及び対向電極４はいずれもが対向基板２の透明基板２と対向する側に具備されている。他の電極配置方法としては、図２のように表示電極３を透明基板１上に配置し、対向電極４を対向基板２に配置する方式もあるが、この場合、表示電極３として透明な電極が必要である。図１に示す例では、表示電極３と対向電極４の両者は不透明な電極で良いので、銅、アルミニウム等の安価で、かつ抵抗の低い金属電極が使用できる。外部電圧印加は、直流あるいはそれに交流を重畳しても良い。各電極は帯電した粒子の電荷が逃げないように絶縁性のコート層を形成しても良い。このコート層は、負帯電性粒子に対しては正帯電性の樹脂を、正帯電性粒子に対しては負帯電性の樹脂を用いると粒子の電荷が逃げ難いので特に好ましい。
【００２０】
本発明の画像表示装置では、各図に示すような隔壁７を各表示素子の四周に設けるのが好ましい。隔壁を平行する２方向に設けることもできる。これにより、基板平行方向の余分な粒子移動を阻止し、耐久繰り返し性、メモリー保持性を介助すると共に、基板間の間隔を均一にかつ補強し画像表示板の強度を上げることもできる。
【００２１】
隔壁７の形成方法としては、特に限定されないが、例えば、スクリーン版を用いて所定の位置にペーストを重ね塗りするスクリーン印刷法や、基板上に所望の厚さの隔壁材をベタ塗りし、隔壁として残したい部分のみレジストパターンを隔壁材上に被覆した後、ブラスト材を噴射して隔壁部以外の隔壁材を切削除去するサンドブラスト法や、該基板上に感光性樹脂を用いてレジストパターンを形成し、レジスト凹部へペーストを埋込んだ後レジスト除去するリフトオフ法（アディティブ法）や、該基板上に、隔壁材料を含有した感光性樹脂組成物を塗布し、露光・現像により所望のパターンを得る感光性ペースト法や、該基板上に隔壁材料を含有するペーストを塗布した後、凹凸を有する金型等を圧着・加圧成形して隔壁形成する鋳型成形法等、種々の方法が採用される。さらに鋳型成形法を応用し、鋳型として感光性樹脂組成物により設けたレリーフパターンを使用する、レリーフ型押し法も採用される。
【００２２】
本発明の画像表示装置で表示のための粒子は、上述したように粒子の一部分のみに電荷を偏在させることのほか、負又は正帯電性の着色粒子で、クーロン力により飛翔移動するものであればいずれでも良いが、特に、球形で比重の小さい粒子が好適である。粒子には単一の色のものであり、白色又は黒色の粒子が好適に用いられる。粒子の平均粒子径は０．１〜５０μｍが好ましく、特に１〜３０μｍが好ましい。粒子径がこの範囲より小さいと粒子の電荷密度が大きすぎて電極や基板への鏡像力が強すぎ、メモリー性はよいが、電界を反転した場合の追随性が悪くなる。反対に粒子径がこの範囲より大きいと、追随性は良いが、メモリー性が悪くなる。
【００２３】
粒子を負又は正に帯電させる方法は、特に限定されないが、コロナ放電法、電極注入法、摩擦法等の粒子を帯電する方法が用いられる。粒子の帯電量は当然その測定条件に依存するが、画像表示装置における粒子の帯電量はほぼ、初期帯電量、基板との接触、種類の異なる粒子との接触、経過時間に伴う電荷減衰に依存し、特に「種類の異なる粒子との接触」、すなわち２粒子間の接触に伴う帯電挙動の飽和値が支配因子となっているということが分かっている。したがって、帯電量においてはこの２粒子間の帯電特性の差、すなわち仕事関数の差を知ることが重要であるが、これは簡易測定では難しい。
【００２４】
本発明者らは鋭意検討の結果、ブローオフ法において同じキャリヤを用いて、それぞれの粒子の帯電量測定を行うことにより相対的に評価できることを見出し、これを表面電荷密度によって規定することにより、画像表示装置として適当な粒子の帯電量を予測できることを見出した。
【００２５】
測定方法は詳しくは後に述べるが、ブローオフ法によって、粒子とキャリヤ粒子とを十分に接触させ、その飽和帯電量を測定することにより該粒子の単位重量あたりの帯電量を測定することができる。そして、該粒子の粒子径と比重を別途求めることにより該粒子の表面電荷密度を算出することができる。
【００２６】
画像表示装置においては、用いる粒子の粒子径は小さく、重力の影響はほぼ無視できるほど小さいため、粒子の比重は粒子の動きに対して影響しない。しかし、粒子の帯電量においては、同じ粒子径の粒子で単位重量あたりの平均帯電量が同じであっても、粒子の比重が２倍異なる場合に保持する帯電量は２倍異なることとなる。従って、画像表示装置に用いられる粒子の帯電特性は粒子の比重に無関係な表面電荷密度（単位：μC/m2）で評価するのが好ましいことが分かった。
【００２７】
そして、粒子間においてこの表面電荷密度の差が十分にある時、２種類の粒子はお互いの接触により異なる極性の帯電量を保持し、電界により移動する機能を保持するのである。
【００２８】
ここで、表面電荷密度は２粒子の帯電極性を異なるものにするためにある程度の差が必要であるが、大きいほどよいというものではない。粒子移動による画像表示装置においては粒子の粒子径が大きいときは主に電気影像力が粒子の飛翔電界(電圧)を決定する因子となる傾向が強いため、この粒子を低い電界(電圧)で動かすためには帯電量が低いほうがよいこととなる。また、粒子の粒子径が小さいときは分子間力・液架橋力等の非電気的な力が飛翔電界(電圧)決定因子となることが多いため、この粒子を低い電界(電圧)で動かすためには帯電量が高いほうがよいこととなる。しかし、これは粒子の表面性(材料・形状)にも大きく依存するため一概に粒子径と帯電量で規定することはできない。
【００２９】
本発明者らは平均粒子径が0.1−50μmの粒子においては、同じ種類のキャリヤを用いてブローオフ法により測定した２種類の粒子の、表面電荷密度の差の絶対値が5μC/m2〜150μC/m2である場合に画像表示装置として使用できる粒子と成り得ることを見出した。
【００３０】
ブローオフ測定原理及び方法は以下の通りである。ブローオフ法においては、両端に網を張った円筒容器中に粉体とキャリヤの混合体を入れ、一端から高圧ガスを吹き込んで粉体とキャリヤとを分離し、網の目開きから粉体のみをブローオフ(吹き飛ばし)する。この時、粉体が容器外に持ち去った帯電量と等量で逆の帯電量がキャリヤに残る。そして、この電荷による電束の全てはファラデーケージで集められ、この分だけコンデンサーは充電される。そこでコンデンサー両端の電位を測定することにより粉体の電荷量Qは、Q=CV（C:コンデンサー容量、V:コンデンサー両端の電圧）として求められる。
【００３１】
ブローオフ粉体帯電量測定装置としては東芝ケミカル社製のTB-200を用いた。本発明ではキャリヤとして正帯電性・負帯電性の２種類のものを用い、それぞれの場合の単位表面積あたり電荷密度（単位：μC/ｍ２）を測定した。すなわち、正帯電性キャリヤ(相手を正に帯電させ自らは負になりやすいキャリヤ)としてはパウダーテック社製のF963-2535を、負帯電性キャリヤ(相手を負に帯電させ自らは正に帯電しやすいキャリヤ)としてはパウダーテック社製のF921-2535を用いた。
【００３２】
粒子はその帯電電荷を保持する必要があるので、体積固有抵抗が１×１０10Ω・cm以上の絶縁性粒子が好ましく、特に１×１０12Ω・cm以上の絶縁性粒子が好ましい。
【００３３】
また、本発明の画像表示装置における粒子は、以下の述べる方法で評価した電荷減衰の遅い粒子が更に好ましい。即ち、粒子を、別途、プレス、加熱溶融、キャストなどにより、厚み５〜１００μｍ範囲のフィルム状にして、そのフィルム表面と１ｍｍの間隔をもって配置されたコロナ放電器に、８ＫＶの電圧を印加してコロナ放電を発生させて表面を帯電させ、その表面電位の変化を測定し判定する。この場合、０．３秒後における表面電位の最大値が３００Ｖより大きく、好ましくは４００Ｖより大きくなるように、粒子構成材料を選択、作製することが望ましい。
【００３４】
なお、上記表面電位の測定は、例えば図３に示した装置（ＱＥＡ社製ＣＲＴ２０００）により行なうことが出来る。この装置の場合は、前述したフィルムを表面に配置したロールシャフト両端部をチャック２１にて保持し、小型のスコロトロン放電器２２と表面電位計２３とを所定間隔離して併設した計測ユニットを上記フィルムの表面と１ｍｍの間隔を持って対向配置し、上記のロールシャフトを静止した状態のまま、上記計測ユニットを該ロールシャフトの一端から他端まで一定速度で移動させることにより、表面電荷を与えつつその表面電位を測定する方法が好適に採用される。なお、測定環境は温度２５±３℃、湿度５５±５ＲＨ％とする。
【００３５】
本発明の画像表示装置における粒子は帯電性能等の特性が満たされれば、いずれの材料から構成されても良い。例えば樹脂、荷電制御剤、着色剤、無機添加剤等から、或いは着色剤単独等で形成することができる。樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフイン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂などが挙げられ、特に基板との付着力を制御する上から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。２種以上混合することもできる。
【００３６】
しかし、荷電制御剤などを添加したり、強帯電性樹脂を用いたりするなどして、粒子の帯電量を上げる必要はない。市販の低帯電量微粒子（例示すれば、ウレタン微粒子、フェノール微粒子など）も好適に用いられる。ただし、表示コントラストを十分に確保するために、２種類の粒子の色調、反射率を調整することが必要である。
【００３７】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフエニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、弗素、塩素、窒素等を含んだ樹脂等も荷電制御剤として用いることもできる。
【００３８】
着色剤としては、以下に例示すような、有機又は無機の各種、各色の顔料、染料が使用可能である。
黒色顔料としては、カーボンブラック、酸化銅、二酸化マンガン、アニリンブラック、活性炭などがある。
黄色顔料としては、黄鉛、亜鉛黄、カドミウムイエロー、黄色酸化鉄、ミネラルファストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどがある。
橙色顔料としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫなどがある。
【００３９】
赤色顔料としては、ベンガラ、カドミウムレッド、鉛丹、硫化水銀、カドミウム、パーマネントレッド４Ｒ、リソールレッド、ピラゾロンレッド、ウォッチングレツド、カルシウム塩、レーキレッドＤ、ブリリアントカーミン６Ｂ、エオシンレーキ、ローダミンレーキＢ、アリザリンレーキ、ブリリアントカーミン３Ｂなどがある。
紫色顔料としては、マンガン紫、ファストバイオレットＢ、メチルバイオレットレーキなどがある。
青色顔料としては、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣなどがある。
緑色顔料としては、クロムグリーン、酸化クロム、ピグメントグリーンＢ、マラカイトグリーンレーキ、ファイナルイエローグリーンＧなどがある。
また、白色顔料としては、亜鉛華、酸化チタン、アンチモン白、硫化亜鉛などがある。
【００４０】
体質顔料としては、バライト粉、炭酸バリウム、クレー、シリカ、ホワイトカーボン、タルク、アルミナホワイトなどがある。
更に、塩基性、酸性、分散、直接染料などの各種染料として、ニグロシン、メチレンブルー、ローズベンガル、キノリンイエロー、ウルトラマリンブルーなどがある。
これらの着色剤は、単独で或いは複数組合せて用いることができる。
特に黒色着色剤としてカーボンブラックが、白色着色剤として酸化チタンが好ましい。
粒子の製造例については特に限定されないが、例えば、電子写真のトナーを製造する場合に準じた粉砕法および重合法が使用出来る。また無機または有機顔料の粉体の表面に樹脂や荷電制御剤等をコートする方法も用いられる。
【００４１】
本発明の画像表示装置における透明基板１と対向基板２の間隔は、粒子が飛翔移動でき、コントラストを維持できれば良いが、通常１０〜５０００μｍ、好ましくは３０〜５００μｍに調整される。
粒子充填量は、基板間の空間体積に対して、１０〜８０％、好ましくは１０〜７０％を占める体積になるように充填するのが良い。
【００４２】
本発明の画像表示装置においては、上記の表示素子を複数使用してマトリックス状に配置して表示を行う。モノクロの場合は、一つの表示素子が一つの画素となる。白黒以外の任意の色表示をする場合は、粒子の色の組み合わせを適宜行えばよい。フルカラーの場合は、３種の表示素子、即ち、Ｒ（赤色）、Ｇ（緑色）及びＢ（青色）のカラー板を持ちかつ各々黒色の粒子を持つ表示素子を１組とし、それらを複数組配置して画像表示板とするのが好ましい。
【００４３】
本発明の画像表示装置は、ノートパソコン、ＰＤＡ、携帯電話などのモバイル機器の画像表示部、電子ブック、電子新聞などの電子ペーパー、看板、ポスター、黒板などの掲示板、電卓、家電製品の画像表示部などに用いられる。
【００４４】
【実施例】
次に実施例および比較例を示して、本発明を更に具体的に説明する。但し本発明は以下の実施例により限定されるものではない。
実施例
以下の表１に示す通り、白色の負帯電性粒子と黒色の正帯電性粒子を準備した。白色の負帯電性粒子としては、ウレタン粒子であるパーノックス（大日本インキ製、ＣＦＢ２００Ｗ）を母粒子として用いた。黒色の正帯電性粒子としては、ウレタン粒子であるパーノックス（大日本インキ製、ＣＦＢ６２０Ｃ）を母粒子として用いた。これらの母粒子は、以下の表１に示す平均粒子径と表面電荷密度を有していた。
【００４５】
異種物質については、以下のＡ〜Ｄに示す方法で粒子に付着させた。Ａ：フッ素樹脂（ダイキン製、ルミフロンＬＦ２００）に荷電制御剤としてBontron E84(オリエント化学（株）製）を５％添加し、ＭＥＫ溶媒に３０％濃度として調整した。これをパーコーターで銅箔上に薄膜形成し、上述した手法で粒子表面の一部に付着させた。付着させることによって平均帯電量は増加していることから、母粒子より異種物質の方が表面電荷密度が高いと言える。Ｂ：アルキシド樹脂（大日本インキ製、Ｍ６４０２）とメラミン樹脂（大日本インキ製、Ｌ１４５）とを６：４で混ぜたものに、荷電制御剤としてBontron N21を５％添加し、ＭＥＫ溶媒に３０％濃度として調整した。その他の工程はＡと同じであった。Ｃ：Ａより荷電制御剤を抜いたものを調整した。Ｄ：Ｂより荷電制御剤を抜いたものを調整した。その際の粒子全体の表面積Ｓ１と帯電特性の異なる部分の表面積Ｓ２との比Ｓ２／Ｓ１を求めるとともに、処理粒子の平均帯電量を測定した。
【００４６】
準備した白色及び黒色粒子を、透明基板１と対向基板２の間に充填し、図２に示す構造の実施例１、２及び比較例１、２に係る画像表示装置を作製した。作製した画像表示装置の表示特性を調べるため、画像表示装置に対し、全面白表示時の画像濃度、全面黒表示時の画像濃度を測定するとともに、黒表示画像濃度−白表示画像濃度でのコントラストを求め、さらに、表示駆動電圧を測定した。表示駆動電圧は、電圧を印加していった際の最高白・黒表示値濃度に対して９０％濃度にいたる際の印加電圧の絶対値（Ｖ９０）として求めた。結果を表１に示す。
【００４７】
【表１】
2004198694.tif 000003
【００４８】
表１の結果から、本発明に係る実施例１、２は比較例１、２に比べて、表示駆動電圧を大幅に低くできることがわかった。また、Ｓ２／Ｓ１の比については、５０％以下であると好ましいことがわかった。
【００４９】
【発明の効果】
以上の説明から明らかなように、本発明によれば、用いる粒子の一部の表面を帯電特性の異なる物質で構成することで、凝集塊の発生を大幅に抑制でき、その結果駆動電圧の低下を達成することができる。
【図面の簡単な説明】
【図１】（ａ）〜（ｃ）はそれぞれ本発明の画像表示装置における表示素子の一例とその表示作動原理を示す説明図である。
【図２】本発明の画像表示装置における表示素子の他の例として、表示電極を透明基板上に配置し、対向電極を対向基板に配置した場合を示す説明図である。
【図３】本発明の画像表示装置における粒子の表面電位測定するための測定装置の説明図である。
【符号の説明】
１  透明基板
２  対向基板
３  表示電極
４  対向電極
５  負帯電性粒子
６  正帯電性粒子
７  隔壁
８  絶縁体
２１  チャック
２２  スコロトロン放電器
２３  表面電位計
【図１】
2004198694.tif 000004
【図２】
2004198694.tif 000005
【図３】
2004198694.tif 000006